(57)【特許請求の範囲】
【請求項１】
使用中止により回収されたＩＣカードから読取ったデータを、そのまま、ＩＣカード発行機による再発行が必要になった場合のために格納する記憶手段と、
その記憶手段によりデータが格納された前記ＩＣカードのＩＣチップ部分をパンチング、切断、あるいは高電圧印加等により機械的又は物理的に破壊する破壊手段と、
からなることを特徴とするＩＣカード用破壊装置。
【発明の詳細な説明】
【０００１】
【発明の属する技術分野】
本発明は、使用を中止したＩＣカードを再使用できないように破壊するためのＩＣカード用破壊装置に関する。
【０００２】
【従来の技術】
近年、非接触型自動改札機や電子マネーで代表されるように、ＩＣカードが多用されるようになってきている。
【０００３】
このようなＩＣカードは、メモリ内容を更新して繰返し使用できる特長を有しているが、定期券の使用を中止した場合とか、電子マネーの取引きを中止した場合のように、その後のＩＣカードの使用を中止する場合が発生する。
【０００４】
このように、使用を中止したＩＣカードは、そのＩＣカードが不正使用されることのないように、カード会社（定期券の場合は鉄道会社）が回収するように運用されている。
【０００５】
【発明が解決しようとする課題】
上述のように、使用中止により回収されたＩＣカードは、メモリ内容を更新することなどにより、再使用される可能性があるので、回収されたＩＣカードの機能を、再使用できないように完全に停止させることが望まれていた。
【０００６】
そこで、本発明は、上記要望に応えるためになされたものであって、その目的は、使用中止により回収されたＩＣカードの再使用を完全に不可能にすることのできるＩＣカード用破壊装置を提供することにある。
【０００７】
【課題を解決するための手段】
本発明に係るＩＣカード用破壊装置は、上記目的を達成するために、使用中止により回収されたＩＣカードから読取ったデータを、そのまま、ＩＣカード発行機による再発行が必要になった場合のために格納する記憶手段と、その記憶手段によりデータが格納された前記ＩＣカードのＩＣチップ部分をパンチング、切断、あるいは高電圧印加等により機械的又は物理的に破壊する破壊手段とからなることを特徴としている。
【０００８】
【発明の実施の形態】
以下、本発明の実施の形態を図面に基づいて説明する。図１は、一実施の形態に係るＩＣカード用破壊装置の概略構成図である。
【０００９】
ＩＣカード１は、使用中止となって回収されたものであり、その内部には、周知のＩＣカードと同様に、所定の演算処理を行うことのできるＩＣカードの中心的構成要素をなす集積回路からなるＩＣチップ２が埋設されている。
【００１０】
このＩＣカード１は、接続端子１ａを有する接続型であって、ＩＣカードが使用される場合は、公知のカード処理機（図示せず）に装着することにより、接続端子１ａがカード処理機の接続端子と接続されるように構成されている。
【００１１】
図１中、Ｐは、パンチングユニットであり、ＩＣカード１の挿入口Ｓを有しているとともに、ＩＣカード１がその挿入口Ｓに挿入されると、ＩＣカード１に設けられている接続端子１ａがパンチングユニットＰに設けられている接続端子Ｐａに接続されるように構成されている。
【００１２】
図１中、３は、接続端子Ｐａを介して得られたＩＣカード１の図示しないメモリに記憶されている内容を読取る周知のカード処理機に設けられているリードドライバと同様の読取部である。読取られたデータは、そのまま記憶部５に格納されるようになっている。また、４は処理部であって、ＣＰＵを中心に構成されていて、読取られたデータを基に演算処理し、読取られたデータが記憶部５に格納されたときに、パンチングユニットＰのソレノイド６を駆動できるように構成されている。
【００１３】
パンチングユニットＰのパンチＰ′は、挿入口Ｓに挿入されたＩＣカード１のＩＣチップ２と位置的に合致するように設けられている。したがって、ソレノイド６が駆動されると、図２に示されるように、ＩＣカード１のチップ２の部分に孔Ｈがあけられ、これにより、ＩＣカード１の機能は、復旧不可能に破壊される。
【００１４】
記憶部５には、破壊されたＩＣカード１のＩＤとそれまでのデータが記憶されているので、仮に、誤ってＩＣカード１が破壊されても、記憶部５に格納されているデータを既知のカード発行機に転送することにより、そのデータを基に新たなＩＣカードを発行することができる。
【００１５】
図３に示された他の実施の形態においては、ＩＣカード１に高電圧を印加して破壊するようにしている。すなわち、高電圧電源Ｅから電極１０を介してＩＣチップ２部分に放電してＩＣカード１を破壊するようにしている。
【００１６】
図４に示された他の実施の形態においては、図示しない油圧機構等からなる駆動源で駆動されるピストン２０ａと、そのピストン２０ａの挿入される凹部を有する台２０ｂからなるプレス機２０で、ＩＣチップ２を押圧して破壊するようにしている。
【００１７】
図５に示された他の実施の形態においては、カッタ３０により、ＩＣカード１を図示のＣに示されるように切断し、ＩＣチップ２も同時に切断してＩＣカード１を破壊するようにしている。
【００１８】
図６に示された他の実施の形態においては、ＩＣカードが非接触型自動改札機等で用いられるような非接触型ＩＣカード１′の破壊手段を示している。
【００１９】
この非接触型ＩＣカード１′は、図示しない非接触型自動改札機等のカード処理機との間でデータ授受を行う送受信部４０と、図示しないメモリ及びＣＰＵを含んで構成され、改札処理等の所定の演算処理を行う処理部４１と、非接触型ＩＣカード１′の駆動するための電源４２と、本発明の特徴的構成要素をなす破壊回路４３とから構成されている。なお、上記電源４２は、カード処理機から電力波を受けてカード電源を生成する回路を有しているときは、省略することができる。
【００２０】
破壊回路４３は、カード処理機が非接触型ＩＣカード１′のメモリに記憶されている内容を記憶部に格納したことを条件に破壊信号を受信したときに、処理部４１の回路に高電圧又は逆電圧を印加してその後の使用を不可能にすることができる。
【００２１】
もちろん、この非接触型ＩＣカード１′においては、さらに、上述のように、パンチ穴やプレスにより、あるいは切断により破壊するようにしてもよい。
【００２２】
【発明の効果】
本発明に係るＩＣカード用破壊装置は、使用が中止され、回収されたＩＣカードから読取ったデータを、そのまま、ＩＣカード発行機による再発行が必要になった場合のために格納する記憶手段と、その記憶手段によりデータが格納された前記ＩＣカードのＩＣチップ部分をパンチング、切断、あるいは高電圧印加等により機械的又は物理的に破壊する破壊手段とからなるので、第１の効果として、使用中止により回収されたＩＣカードを使用不可能に破壊することができる。第２の効果として、万一、回収されたＩＣカードを何らかの理由により誤って破壊した場合は、記憶されたデータを基に破壊前のＩＣカードを再生し、発行することが可能である。
【図面の簡単な説明】
【図１】  本発明の一実施の形態に係るＩＣカード用破壊装置の概略構成図である。
【図２】  破壊されたＩＣカードの平面図である。
【図３】  本発明の他の実施の形態に係る破壊例である。
【図４】  本発明の他の実施の形態に係る破壊例である。
【図５】  本発明の他の実施の形態に係る破壊例である。
【図６】  非接触型ＩＣカードの破壊例を示す概略構成図である。
【符号の説明】
１    ＩＣカード
１′  非接触型ＩＣカード
２    ＩＣチップ
３    読取部
４    処理部
５    記憶部
６    ソレノイド
２０  プレス機
３０  カッタ
４０  送受信部
４１  処理部
４２  電源
４３  破壊回路
Ｐ    パンチングユニット
Ｐ′  パンチ
Ｈ    孔
Ｅ    高電圧電源
【図１】
0004073063.tif 000002
【図２】
0004073063.tif 000003
【図３】
0004073063.tif 000004
【図４】
0004073063.tif 000005
【図５】
0004073063.tif 000006
【図６】
0004073063.tif 000007